(57)【特許請求の範囲】
【請求項１】
観音開きする第１及び第２扉を有する保管庫の扉表面に取付けられる面付錠において、（Ａ）前記第１扉の表面に取付けられる固定係合部材と、
前記第２扉の表面に取付けられる係合装置とを有し、
（Ｂ）前記係合装置が、
電源として使用される電池と、
モータと、
前記モータにより、直線往復運動するスライドバーと、
前記スライドバーの移動に従って回転するロッキングレバーと、
前記第２扉を閉めることに従って、前記固定係合部材に係合する位置に移動され、前記ロッキングレバーの回転により、前記係合する位置でロックされるフックと、
ＩＣタグを備えるデジタルキーが装着されたときに、ＩＤデータを読取る読取り手段と、
開錠が許可された前記デジタルキーのＩＤデータを記憶するメモリと、
前記読取り手段が読取った前記ＩＤデータが、前記メモリが記憶するＩＤデータと一致したとき、前記モータが駆動して前記スライドバーを移動させることにより、前記ロッキングレバーが回転し、前記フックを非ロック状態に移動させるコントローラと、
を有することを特徴とする面付錠。
【請求項２】
請求項１に記載する面付錠において、
電源が供給されないときに、通常のキーにより回転されるシリンダ錠と、
前記シリンダ錠の回転により前記ロッキングレバーを回転させて、前記係合する位置でロックされた前記フックを前記非ロック状態にさせる連結部材とを有することを特徴とする面付錠。
【請求項３】
請求項１に記載する面付錠において、
前記第２扉の扉裏面に、前記電池が装着される電池ケースが取付けられていることを特徴とする面付錠。
【発明の詳細な説明】
【技術分野】
【０００１】
本発明は、観音開きする第１及び第２扉を有する保管庫の扉表面に取付けられる面付錠に関するものである。
【背景技術】
【０００２】
従来、両開き扉の表面に各々一対の錠に部材を取付ける面付錠には、特許文献１に係る面付錠がある。例えば、特許文献１の面付錠は、一般住居用に用いられるものである。これらの面付錠は、差し込んだ鍵を回転させることにより施錠状態、開錠状態と変化させる。
特許文献１の面付錠は、観音開きする親扉下框２に錠ケース８を後付し、子扉下框５に横受け９を後付する。錠ケース１０にあるシリンダ２６をまわすと横デッドボルト１２が、錠ケース１０より出る。横デッドボルト１２が、錠ケース１０より出て、横受け９の枠に入ることで、親扉下框２と子扉下框５は手前に引く力に対して、親扉と子扉が固定されるため、錠がされた状態になる。  
【０００３】
しかしながら、従来の特許文献１の面付錠には、以下の問題があった。
例えば、特許文献１の面付錠を保管庫に使用する場合である。保管庫は、複数の者によって使用されるものである。そのため、複数の者が同一の鍵を保管庫について所持している場合、誰が利用したかは分からないため、情報保護の管理が行き届かない問題がある。
そこで、従来、オフィスにおいては、保管庫の収納ボックス毎に開閉可能な鍵を、鍵管理ボックスに収納し、使用者がＩＤカード等のＩＤ認証により、鍵管理ボックスの扉を開閉して、利用したい収納ボックス用の鍵を借り出して利用している。鍵管理ボックスは、ＩＤカードにより、使用者をＩＤ認証し、その人がその収納ボックスにアクセスする権利を有している場合にのみ、扉を開いている。
【０００４】
しかし、ＩＤカードと、鍵を別々に所持することは煩雑であり、また、多数の収納ボックス内の書類を調べようとすると、たくさんの鍵を持って移動しなければならず、作業性が悪かった。その問題を解決するために、同じ１つの鍵を用いて、複数の収納ボックスを開閉できるシステムが望まれていた。
同じ１つの鍵を用いて、複数の保管庫の収納ボックスを開閉できるシステムとしては、マスターキーが知られている。マスターキーは、全ての保管庫の開閉が可能であるが、鍵を紛失した場合等の非常時用のものであり、マスターキーを日常的に使用しては、各別に異なる錠前を取付けて管理している意味がなくなってしまう。また、収納ボックス毎にアクセスする権利を人毎に設定することはできない。
一方、交換容易なシリンダー錠前を用い、収納ボックス毎にシリンダー錠前を交換することにより、一つの鍵で開閉できる収納ボックスを設定可能とするものが市販されている。これによれば、同じ１つの鍵で開閉可能な収納ボックスを任意に設定し変更することができる。
【０００５】
そこで、前記特許文献１の面付錠に、特許文献２の発明を用いて、ＩＣタグと鍵を組み合わせて、情報保護の管理をする技術が考えられる。特許文献２には、ＩＣタグを鍵の把持部に内蔵して、把持部の一部に露出した鍵側データ端子と接触する扉側データ端子により、ＩＣタグのデータを読み出し、そのデータがＩＤ登録されていない場合に、ソレノイドにより、鍵の回転を阻止することが開示されている。
鍵は通常の鍵であり、特定の錠前のみ開閉可能な形状となっている。効果としては、鍵の形状が同じ合鍵を作られたとしても、ＩＣタグが内蔵されていなければ、鍵を解除することができないことが記載されている。また、段落（００２７）には、ＩＣタグのみの認証により、電気錠を開錠することが記載されている。
【０００６】
【特許文献１】特開２００６-９７３６１号公報
【特許文献２】特開平１０-２５２３２７号公報
【発明の開示】
【発明が解決しようとする課題】
【０００７】
（１）しかしながら、従来市販されている交換容易なシリンダ錠前には、次のような問題があった。
一人の人が利用するシステムならば良いが、通常の会社のオフィスのように、各々異なる権能を有する複数の人が同じ収納ボックスを利用するシステムにおいては、異なる人に、各々個別に利用可能な収納ボックス用の鍵を所持させることが、困難であった。すなわち例えば、Ａ，Ｂ，Ｃという人が各々異なる収納ボックスグループにアクセスする権利を有している場合に、各々の人に、その人がアクセス可能な収納ボックスを開閉できる鍵を所持させることはできなかった。
また、特許文献２に記載のシステムには、次のような問題があった。
すなわち、接触式ＩＣタグが確認のためにのみ使用されており、実際に錠を開閉するのは従来通りの、鍵の挿入部の形状が錠前に合致することが条件であるため、オフィスで、複数の保管庫の複数の収納ボックス内の書類を調べようとすると、たくさんの鍵を持って、保管庫間を移動する必要がある。たくさんの鍵を持って移動することも不便である上、その都度所定の鍵を探さなければならず、きわめて非能率的であった。
【０００８】
（２）また、近時では、プライバシーの問題から、個人情報の厳重な管理が問題とされるようになってきた。だが、これまでは、さほど個人情報は大切にされず、保管庫に錠もせずに、個人情報の入った書類が保管されている場合が多かった。例えば、ガス会社や電気会社などで扱う、ガスの使用量又は電気の使用量に関する請求書の管理は、錠のない保管庫において保管されていた。だが、個人情報の重要性が増す中で、請求書等をしまう保管庫にも錠をすることが望まれるようになってきた。そのため、現在使用している保管庫に、錠を後から付けることが必要とされたのである。
錠を後から付ける場合以外には、保管庫自体を交換することも考えられる。しかし、保管庫自体を変えるとなると、新しく保管庫を購入する経費、及び新しく保管庫に移すという労力が必要となる。したがって、既存の保管庫に、新しく錠を付けることが必要とされた。
【０００９】
（３）また、面付錠は後付であるため、保管庫に重量があるものをいれると、一般的には観音開きの保管庫の場合には、両側の扉の隙間が下のほうで広くなるというゆがみが生じる傾向がある。ゆがみが生じると、鍵孔とフックの係合する箇所にずれが生じ、施錠しにくくなる問題がある。
（４）また、通常、デジタルキーは、電池が切れると使用することができず、保管庫を開けることができないという問題があった。緊急の時に、保管庫の資料を必要とするときに問題となる。
（５）また、面付錠は、通常は人の集まる場所、又は人通りが多い場所などに設置されることが多い。だが、後付けする面付錠は、後から第１扉及び第２扉に取付けるために、必ず扉から突出した形で取付けられることになる。
だが、面付錠があまりに突出している場合には、保管庫は人の集まる場所や、人通りの多い場所に設置されているため、面付錠が使用者以外の者が通行する際などの妨げとなることがあり問題となる。
【００１０】
この発明は上記事情に鑑みてなされたものであって、その目的は、後付可能であって、同じ１つの鍵を用いて、複数の保管庫の収納ボックスを開閉することのできる錠を、観音開きする第１及び第２扉を有する保管庫の扉表面に面付錠を提供することにある。
【課題を解決するための手段】
【００１１】
上記目的を達成するために、本発明は以下の構成を有する。
（１）観音開きする第１及び第２扉を有する保管庫の扉表面に取り付けられる面付錠において、（Ａ）第１扉の表面に取付けられる固定係合部材と、第２扉の表面に取付けられる係合装置とを有し、（Ｂ）係合装置が、電源として使用される電池と、モータと、モータにより、直線往復運動するスライドバーと、スライドバーの移動に従って回転するロッキングレバーと、第２扉を閉めることに従って、固定係合部材に係合する位置に移動され、ロッキングレバーの回転により、係合する位置でロックされるフックと、ＩＣタグを備えるデジタルキーが装着されたときに、ＩＤデータを読取る読取り手段と、開錠が許可されたデジタルキーのＩＤデータを記憶するメモリと、読取り手段が読取ったＩＤデータが、メモリが記憶するＩＤデータと一致したとき、モータが駆動してスライドバーを移動させることにより、ロッキングレバーが回転し、フックを非ロック状態に移動させるコントローラと、を有することを特徴とする。ここで、ＩＣタグとしては、接触式ＩＣタグ又は非接触式ＩＣタグをいう。
【００１２】
（２）（１）に記載する面付錠において、電源が供給されないときに、通常のキーにより回転されるシリンダ錠と、シリンダ錠の回転によりロッキングレバーを回転させて、係合する位置でロックされたフックを前記非ロック状態にさせる連結部材とを有することを特徴とする。
（３）（１）に記載する面付錠において、第２扉の扉裏面に、電池が装着される電池ケースが取付けられていることを特徴とする。
【発明の効果】
【００１３】
次に、上記構成を有する面付錠の作用及び効果について説明する。
現在使用している、観音開きする第１及び第２扉を有する保管庫の第１扉の表面に、ネジ孔を追加加工して固定係合部材を取付け、第２扉の表面に、ネジ孔及びシリンダ錠が突出するための孔を追加加工することにより、係合装置を取付ける。
本発明の面付錠の開閉にはデジタルキーが使われている。デジタルキーは、鍵の把持部に内蔵された端子が挿入部に設けられているＩＣタグを備える。デジタルキーが、装着されたときに、ＩＣデータ読取り手段が、ＩＤデータを読取る。読取り手段が読取ったＩＤデータが、メモリが記憶する開錠が許可されたデジタルキーのＩＤデータと一致したとき、コントローラが起動して可動係合部材を非係合位置に移動させる。そのとき、固定係合部材のカバーに取付けられた「ＵＮＬＯＣＫ」のＬＥＤが付く。
反対に、読取り手段が読み取ったＩＤデータが、メモリが記憶する開錠が許可されたデジタルキーのＩＤデータと一致しないとき、モータは起動しない。そのとき、固定係合部材のカバーに取付けられた「ＵＮＬＯＣＫ」のＬＥＤが付かない。
次は、非係合位置に移動した可動係合部材を係合位置に戻す場合である。まず、扉が閉まった状態で、鍵の把持部に内蔵され端子が挿入部に設けられたＩＣタグを備えるデジタルキーを抜くと、ＩＣデータ読取り手段がデジタルキーが抜かれたことを検知して、コントローラが起動して可動係合部材を係合位置に移動させる。そのとき、固定係合部材のカバーに取付けられた「ＬＯＣＫ」のＬＥＤが付く。
また、デジタルキーの電池が切れそうなときには、デジタルキーが装着されたとき、固定係合部材のカバーに取付けられた「ＢＡＴＴ」のＬＥＤが点滅する。ＬＥＤは、デジタルキーが装着されている間のみ点滅をし続ける。
【００１４】
複数の保管庫に取付けられた複数の面付錠のコントローラに当該デジタルキーのＩＤデータを記憶させておく。オフィス内の全ての保管庫に本発明の面付錠を採用すれば、同じ１つの鍵を所持しているだけで、オフィス内の全ての保管庫の全ての収納ボックスに対して、その人が正当な権限を有していれば、可動係合部材を非係合位置に移動させて、中の書類にアクセスすることができる。複数の人が利用しても、鍵に内蔵されたＩＣタグにより、個人の認証を行い、その認証したデータに基づいて、その収納ボックスへのアクセス権を確認して、収納ボックスの開閉可能状態を制御しているため、アクセス権のない人による開閉を防止しつつ、利用者は、１つの鍵で必要とする多数の収納ボックスを開閉することができる。
【００１５】
また、施錠することができるようになるため、誰しもが保管庫に収容されている情報にアクセスできるわけではなくなるため、個人情報を厳重に保護することができる。それによって、プライバシーの問題を解決することができる。
また、現在使用している保管庫に、新しく錠を付けるのであれば、新しく保管庫を購入するよりも安価で購入でき、さらに、保管庫を変える必要がないため労力も要らない。
また、保管庫に重量があるものをいれることにより、両側の扉の隙間が下のほうで広くなるというゆがみが生じた場合であっても、ゆがみに合わせて面付錠を後付することができるため、フックとストライクが係合し、施錠しにくくなることはない。
さらに、面付錠を保管庫に取り付けた後に変形したとしても、面付錠のストライクに幅を持たせているために、多少ゆがみが生じたとしても、フックがストライクに引っかかる位置にあれば施錠することができる。
また、電源として電池を使用しているので、配線が不要であり、後付け工事を簡便にできる。
また、デジタルキーの電池が切れた場合にも、通常のキーにより回転されるシリンダ錠を有するため、通常キーにより保管庫を開けることができる。そのため、デジタルキーの電池が切れた場合において、保管庫を開けたい緊急の場合にも、保管庫を開けることができる。
【００１６】
また、固定係合部材のカバーの、「ＬＯＣＫ」、「ＵＮＬＯＣＫ」のＬＥＤが付くことで、外部から容易に内部の状態を判断することができる。
また、デジタルキーの電池が切れそうなことを、固定係合部材のカバーの、「ＢＡＴＴ」のＬＥＤが点滅することで、早期に電池を交換することができる。それにより、電池切れにより、保管庫の開閉ができないという状況を防ぐことができ、緊急のときに、保管庫を開けられないという自体を防止できる。
また、第２扉に孔を開けて、係合装置を取付ける際に第２扉に孔を開け、シリンダ錠が扉表面に出ないようにすることにより、扉表面の突出部が小さくなり、面付錠が使用者以外の者が通行する際などの妨げとなることはない。
【発明を実施するための最良の形態】
【００１７】
次に、本発明に係る面付錠を具体化した第１実施形態につき図面を参照して詳細に説明する。
図６は、面付錠１の正面図を示す。
図３、図４は、図６の側面図（一部断面を示す。）である。
図３は、面付錠１が開錠されている状態を表し、図４は施錠されている状態を表す。
図９は、図６の背面から見た図である。但し、取付部のみを記載し、内部構造は省略している。
図６に示す面付錠１は、第１扉１００の扉表面に取付けられた固定係合部材２、及び第２扉１０１の扉表面に取付けられた係合装置３とからなる。
係合装置３には、シリンダ錠５、及び３個のＬＥＤ４１が設けられている。
ＬＥＤ４１は、それぞれ４１ａ（ＵＮＬＯＣＫ）、４１ｂ（ＬＯＣＫ）、４１ｃ（ＢＡＴＴ）を表すものである。
【００１８】
図９に基づいて、固定係合部材２及び係合装置３を後付する構造について説明する。
図９に示すように、２個のネジ孔５２にネジを第１扉１００の内面から結合することにより、固定係合部材２を固定している。また、４個のネジ孔５１にネジを第２扉１０１の内面から結合することにより、係合装置３を固定している。図３及び図４に、ネジ２３により第１扉１００、第２扉１０１に対して固定された、固定係合部材２及び係合装置３を示す。
第１扉１００にバカ孔１００ａ、及び第２扉１０１にバカ孔１０１ａ、及びシリンダ錠５の抜け孔７５を開けるため、テンプレート７１を用いる。テンプレート７１は、図１０に図示しる。
テンプレート７１は、面付錠１と同じ大きさの台紙である。面付錠１のネジ孔５２と孔７３は、位置が対応している。ネジ孔５１と孔７４は、位置が対応している。また、シリンダ錠５とシリンダ錠の抜け孔７５の大きさは対応している。
台紙には、第１扉１００と第２扉１０１との隙間に対応したライン７２が上から下に台紙に対して垂直に印刷されている。当該ライン７２の横には両サイドに定規のようにｍｍ単位の指標７６がある。
【００１９】
次に、保管庫の第１扉１００、及び第２扉１０１が閉じた状態にして、テンプレート７１を第１扉１００及び第２扉１０１にまたがった形で押し付ける。押し付ける際には、第１扉１００と第２扉１０１の隙間の真ん中にライン７２を合わせる。さらに隙間が広く中心が分からないときには、横のｍｍ単位の指標７６で真ん中に合わせる。そして、孔７３、孔７４、シリンダ錠の抜け孔７５にマジック等で目印をつける。
マジック等の目印に合わせて、ドリルでネジ孔を６個、及びシリンダ錠５の抜け孔を開ける。面付錠１のネジ孔にあった部分、及びシリンダ錠５の抜け孔にあった孔を開けることができる。
テンプレート７１により、面付錠１を確実に取付けることができる箇所にバカ孔１００ａ、１０１ａ、及びシリンダ錠５の抜け孔を開けることができる。
【００２０】
図１、及び図２は、図６の面付錠１において、内部構造を説明するために表面の板部分を省略した図である。
図１は、面付錠１が施錠されている状態を表し、図２は、開錠されている状態を表す。
図１に基づいて、面付錠１の構成について以下説明する。
面付錠１は、固定係合部材２と係合装置３とからなる。
フック２１を係合するための、ストライク２２が固定係合部材２に右方向に突出して形成されている。
係合装置３の本体ボディ４の右部分の中央には、シリンダ錠５が設けられている。シリンダ錠５の下部には、電池６１が取付けられている。
シリンダ錠５には、錠孔５ａがある。また、シリンダ錠５には、シリンダカム６が接続されている。シリンダカム６には、第１ピン３３が錠孔５ａに対して左斜め４５度の位置にあるように固設されている。
シリンダカム６には、第１ピン３３が固設されており、第１ピン３３は、リンクバー２０の右端部の孔２０ａに係合している。またリンクバー２０の左端部には、第２ピン３４が固設されている。第２ピン３４は、ロッキングレバー１４の三角孔１４ｃに挿入されている。
【００２１】
ロッキングレバー１４に係合している回転係合部材回転軸ピン１５には、トローションバネ１６が装着されている。トローションバネ１６の右側の端部は、壁面凸部９に当接している。他方の左側の端部はロッキングレバー１４に引っ掛けられている。トローションバネ１６のバネ力により、ロッキングレバー１４は、反時計方向に付勢されている。
ロッキングレバー１４には、ピン係合孔１４ａ、フック係合部１４ｂ、三角孔１４ｃ、及び、可動係合部材回転軸ピン係合孔１４ｄが形成されている。
ピン係合孔１４ａは、スライドバー１０に接合されているピン１０ｂと係合している。
回転係合部材回転軸ピン係合孔１４ｄは、回転係合部材回転軸ピン１５と係合している。
フック２１は、両端がボディ４に固定された軸２４により、回転可能に保持されている。図３に示すように、軸２４には、トローションバネ２５が装着されている。トローションバネ２５の下端部は係合装置３のカバー裏面２６と接触している。トローションバネ２５の上端部は、フック２１の上あご２１ｂに接合している。
モータ７の下部には基盤６６が取付けられている。基盤６６には、施錠検出スイッチ１７、第１モータ制御用スイッチ１８、及び第２モータ制御用スイッチ１９が取付けられている。
モータ７の回転軸にはピニオン８が固設されている。
ピニオン８の歯車は、スライドバー１０上に形成されたラック部１０ａと係合している。また、スライドバー１０上には、ピン１０ｂ、第１モータ制御用スイッチ凸部１１、第２モータ制御用スイッチ凸部１２が形成されている。
【００２２】
図１１のコントローラ６７は、ＣＰＵ６２、制御プログラムを記憶するＲＯＭ６３、及びその錠を開けることが許可されているデジタルキーに対応したＩＤデータを記憶するＩＤデータ記憶メモリ６４を有している。
ＩＤデータ記憶メモリ６４に記憶されたＩＤデータの追加・削除等は、管理者が携帯用ＰＣにより行う。
コントローラ６７には、施錠検出スイッチ１７、第１モータ制御用スイッチ１８、第２モータ制御用スイッチ１９、モータ７、電池６１、及びＩＣデータ読取り手段６５が各々接続されている。
図１２、図１３に、デジタルキー７０の外観図を示す。デジタルキー７０の把持部の内部には、ＩＣチップ７１が内蔵されている。一対のＩＣチップ７１の接触式ＩＣタグ７２は、鍵部の両側に露出している。
【００２３】
次に、上記面付錠１の作用について説明する。
工事業者は、使用者が現在使用している、棚に書類が入ったままの状態で扉に追加加工をする。
工事業者は、観音開きする第１及び第２扉を有する保管庫の第１扉１００の表面に、固定係合部材２を取付け、第２扉１０１の表面に、係合装置３を取付ける。
具体的には、図９にある固定係合部材２の２個あるネジ孔５２に対応する保管庫の第１扉１００の場所にネジ孔をあけ、ネジ２３で第１扉１００に固定する。次に、係合装置３の４個あるネジ孔５１に対応する保管庫の第２扉１０１の場所にネジ孔をあけ、ネジ２３で第２扉１０１に固定する。
【００２４】
次に、使用者が、面付錠１を開錠する手順を説明する。
保管庫が閉められた状態にあるときは、面付錠１は、図１に示す施錠状態にある。
使用者が、保管庫を開けるときは、保管庫のところに行き、接触式ＩＣタグ７２を備えるデジタルキー７０を、錠孔５ａに挿入する。図１２のデジタルキー７０は、鍵の把持部にＩＣチップ７１が内蔵され、シリンダ錠５に設けられているＩＣデータ読取り手段６５が付設されている。
デジタルキー７０が装着されたときに、ＩＣデータを読取り手段６５が、ＩＣチップ７１に入っているＩＤデータを読取る。読取り手段６５が読取ったＩＤデータが、ＩＤデータ記憶メモリ６４が記憶する開錠が許可されたデジタルキーのＩＤデータと一致したとき、モータ７を起動する。
次に、モータ７を起動することにより、ピニオン８が回転する。そして、ピニオン８が回転することで、ピニオン８に係合されたラック部１０ａが設けられているスライドバー１０が、図中の下方向に直線的に動く。モータ７が動くと、スライドバー１０に形成された第２モータ制御用スイッチ用凸部１２が、第２モータ制御用スイッチ１９のスイッチを押さえる。第２モータ制御用スイッチ１９が押さえられてＯＮ状態になった位置で、モータ７の動きは止まる。
スライドバー１０に取付けられたピン１０ｂは、ロッキングレバー１４のピン係合孔１４ａに係合している。そのため、スライドバー１０が、図中の下方向に直線的に動くと、ピン１０ｂは、図１の位置から、図２の位置に移動する。ピン１０ｂが移動すると、ロッキングレバー１４はピン１０ｂに押されて図２に示す位置にまで回転する。その結果、可動係合部材回転軸ピン１５を中心として、ロッキングレバー１４は時計回りに回転する。
ここで、三角孔１４ｃがあることにより、ロッキングレバー１４はリンクバー２０と無関係に回転可能とされている。すなわち、後に詳細する、通常のキーを使用するとき以外では、リンクバー２０とは無関係にロッキングレバー１４の移動を行うことができるのである。
フック係合部の１４ｂの押さえがなくなることにより、図３に示すように、トローションバネ２５の付勢力によりフック２１が図４の状態から図３の状態に回転される。フック２１の回転により、フック２１とストライク２２が外れる。
【００２５】
次に、使用者が、面付錠１を施錠する手順を説明する。
開錠状態にある保管庫の第１扉１００と第２扉１０１を完全に閉める。図４に示すように、完全に扉を閉めた状態では、フック２１がストライク２２に係合される。ストライク２２は、固定係合部材２から右方向に突出しており、その先端部２２ａは丸みを帯びている。丸みがあることにより、フック２１の溝２２ａにはまり込み、フック２１を傷つけることなく溝２２ａの奥にまで入り込むことができ、確実に係合することができる。
フック２１がストライク２２に係合された状態にあるときに、デジタルキー７０を錠孔５ａから抜く。コントローラ６７は、ＩＣデータ読取り手段６５が、一対の端子７３と非接触状態になるので、鍵が抜かれたことを検出して、モータ７を起動する。モータ７は、逆回転し、ピニオン８も逆回転するので、スライドバー１０が、図中の上方向に直線的な動きをする。ピン１０ｂは、図２の位置から、図１の位置に移動する。ピン１０ｂが移動すると、ロッキングレバー１４はピン１０ｂに押されて図１に示す位置にまで回転する。その結果、可動係合部材回転軸ピン１５を中心として、ロッキングバー１４は時計反対回りに逆回転する。ロッキングレバー１４のフック係合部１４ｂはフック２１と係合する位置にまで移動するため、図１に示すような、面付錠１は施錠状態となる。
【００２６】
電池６１が切れた場合、及びデジタルキー７０を紛失したとき等の場合に、通常のキーにより保管庫を開ける場合の手順について説明する。
図７（ａ）、（ｂ）は、シリンダ錠５、リンクバー２０、ロッキングレバー１４の構成が分かりやすいように記載したものである。
図８は、ロッキングレバー１４にある三角孔１４ｃを拡大した図である。
保管庫が図７（ａ）の状態にある場合に、通常キーを錠孔５ａに挿入しシリンダ錠５を反時計回りに回転する。シリンダ錠５に取付けられシリンダカム６も同時に反時計回りに回転する。シリンダカム６が反時計回りに回転すると、ピン３３を軸にリンクバー２０は、下方向に移動する。ピン３４はリンクバー２０下方向に移動すると、始め図８の三角孔１４ｃの２５の位置にあったのが、リンクバー２０に押されて、図８の三角孔１４ｃの２６の位置に移動する。２６の位置にピン３４が移動すると、ピン３４は、さらに下方向に移動する。
それにより、可動係合部材回転軸ピン１５を中心として、ピン３４と係合するロッキングレバー１４の右側が時計回りに回転し下方向に移動する。可動係合部材回転軸ピン１５を中心とした左側は、上方向に移動する。ピン係合部１４ｂが上方向に移動すると、フック２１から外れるため、図７（ｂ）に示さすように、面付錠１は開錠状態となる。
【００２７】
以上詳細に説明したように、本実施例の面付錠によれば、観音開きする第１扉１００及び第２扉１０１を有する保管庫の扉表面に取付けられる面付錠１において、第１扉１００の表面に取付けられる固定係合部材２と、第２扉１０１の表面に取付けられる係合装置３とを有し、係合装置３が、駆動手段と、駆動手段により、固定係合部材２と係合位置又は非係合位置に移動される可動係合部材と、接触式ＩＣタグ７２を備えるデジタルキー７０が装着されたときに、ＩＣデータを読取る読取り手段６５と、開錠が許可されたデジタルキー７０のＩＤデータを記憶するメモリ６４と、読取り手段６５が読取ったＩＤデータが、メモリが記憶するＩＤデータと一致したとき、可動係合部材を非係合位置に移動させるコントローラ６７と、を有するので、オフィス内の全ての保管庫に本発明の面付錠１を採用すれば、同じ１つデジタルキー７０を所持しているだけで、オフィス内の全ての保管庫の全ての収納ボックスに対して、その人が正当な権限を有していれば、内の書類にアクセスすることができる。複数の人が利用しても、デジタルキー７０に内蔵されたＩＣチップ２１により、個人の認証を行い、その認証したＩＤデータに基づいて、その収納ボックスへのアクセス権を確認して、収納ボックスの開閉可能状態を制御しているため、アクセス権のない人による開閉を防止しつつ、利用者は、１つのデジタルキー７０で必要とする多数の収納ボックスを開閉することができる。
したがって、１つのデジタルキーによって、錠の開閉を行えるため、たくさんの鍵を持って移動する必要はなく、その都度所定の鍵を探す必要はなくなった。
【００２８】
また、従来鍵をかけることができなかった保管庫に鍵をかけられるようになるため、不特定者が保管庫に収容されている情報にアクセスできるわけではなくなるため、個人情報を厳重に保護することができる。それによって、プライバシーの問題を解決することができる。
また、現在使用している保管庫に、新しく面付錠１を付けることができるので、新しく保管庫を購入するよりも安価で購入でき経費削減ができる。さらに、現在使用しているままの状態で錠をつけることができるので、書類を移し変える必要がないため労力もかからない。
【００２９】
また、保管庫に重量があるものをいれ、保管庫の両側の扉を閉めたときに、隙間が下のほうで広くなるというゆがみが生じたとしても、面付錠１は後付けするため、ゆがみに合わせてつけることができるので、施錠しにくくなるということはない。
【００３０】
電源が供給されないときに、通常のキーにより回転されるシリンダ錠５と、前記シリンダ錠５の回転により、可動係合部材を前記非係合位置に移動させる連結する連結部材とを有するので、電池６１が切れたときでも、電池６１を換えれば、また、同じように使用できるが、電池６１が切れたときに、緊急に保管庫を開けたいときなどに、通常キーがあれば、保管庫を開けることができる。また、デジタルキー７０を紛失等した場合にも、通常キーがあれば、保管庫を開けることができる。
【００３１】
また、図３にある、固定係合部材２のカバーの、「ＬＯＣＫ」のＬＥＤ４１ａ、「ＵＮＬＯＣＫ」のＬＥＤ４１ｂが付くことで、外部から容易に内部の状態を判断することができる。
また、電池６１の残量が少ないときには、デジタルキー７０を錠孔５ａに挿入すると、電池６１の電池の残量が少ないことを、固定係合部材２のカバーの、「ＢＡＴＴ」のＬＥＤ４１ｃが点滅することで知らせる。それにより、使用者は、早期に電池を交換することができる。そのため、電池切れにより、保管庫の開閉ができないという状況を防ぐことができ、緊急のときに、保管庫を開けられないという自体を防止できる。
また、電池残量が少ないことを知らせる、「ＢＡＴＴ」のＬＥＤ４１ｃが点滅することは、電池残量が少ないときに行うため、デジタルキー７０が差し込まれたときのみ点滅するようにしている。それにより、無駄な電池の使用を防止することができる。また、使用者がデジタルキー７０を錠孔５ａに差し込んだときに、何度も知らせることができる。
【００３２】
また、別の実施例を示す。別の実施例は、概略の構成が第１実施例と同じであるため、図示はしていない。別の実施例と第１実施例の異なる構成は、電池ケースを第２扉１０１の内側に取付けることにある。第１実施例の電池６１は、電池ケース及び交換用電池を含むものとして観念しているが、別実施例では電池ケースと交換用電池を別のものとして観念している。
電池ケースを取付けるため、第２扉１０１にはシリンダ錠５の抜け孔７５の横に電池からの電線が入る分だけ、少し大きめに孔を開ける。電池ケース自体はネジ等で第２扉の裏側に固定する。
電池は、その電気が切れたときは、容易に交換できることが望まれる。しかし、面付錠の場合には、表面に電池を付けた場合、電池交換のために、表面カバーを簡単に取外すことができ、ついでに内部の施錠システムをも簡単にいじれることになり、開錠されてしまう恐れがある。面付錠はできるだけ外部から内部の構造に関与できないことが望まれる。
そこで、電池ケースを第２扉１０１の裏側に取付けると、施錠された状態の時には、電池交換のために、表面カバーを取外し可能とする必要はないため、表面カバーを取外し、開錠されてしまうおそれがない。
また、表側に電池ケースを取付けた場合には、電池ケースの分表側に突出することになり、面付錠が使用者以外の者が通行する際などの妨げとなることがある。しかし、裏側に電池ケースを取付けることができると、電池ケースの分、面付錠の表側への突出が小さくなるため、面付錠が使用者以外の者が通行する際などの妨げとなることが少なくなる。
また、裏側に電池ケースを取付けた場合、表面と異なり電池ケースに表面カバーをつける必要もないため安価で取付けることができる。
【００３３】
尚、本発明は、上記実施の形態に限定されることなく、発明の趣旨を逸脱することのない範囲で構成の一部を適宜変更して以下のように実施することもできる。
例えば、本実施例では、第１扉１００を固定していないが、第１扉１００を固定することもできる。
（１）施錠された状態で第２扉１０１を開くと、第１扉１００は第２扉１０１と係合されているため、第１扉１００にも扉１００と同様の開く力が働く。第１扉１００と第２扉１０１は係合しているため開かないが、錠の強度が弱くなる。そのため、強引に扉を開けようとしたときには錠が壊れる可能性がある。
そこで、第１扉１００を固定する。それにより、第１扉１００は固定されているため開かない。また、第２扉１０１も第１扉１００に固定するため、固定される。
具体的には、第１扉１００には、手動で上下に固定できる固定部材を取り付ける。固定部材としては、例えば、２本の棒部材が上下に移動して固定枠に係合するような、周知のものなので説明を省略する。面付錠１を施錠する際に、上下に固定できる固定部材を用いて、あらかじめ手動で第１扉１００を固定しておく。第１扉１００が固定された状態で、段落（００２４）の手順により、施錠を行うと、第２扉１０１も第１扉１００に固定するため、両扉ともに固定される。第１扉１００も第２扉１０１と固定されていることによって、扉を施錠した状態で、強引に開けようとする強い力に対しても対抗することができる。
（２）本実施例では、接触式ＩＣタグ７２は接触式ＩＣタグであるが、非接触式タグでも良い。非接触式ＩＣタグを使用する場合においても、鍵形状とすることにより、ＩＣタグ読読取り手段との位置関係が決まるため、安定してＩＣタグのデータを読取ることができる。
【図面の簡単な説明】
【００３４】
【図１】面付錠の施錠状態の内部構造を示す断面図である。
【図２】面付錠の開錠状態の内部構造を示す断面図である。
【図３】面付錠の施錠状態の側面図（一部断面を示す）である。
【図４】面付錠の開錠状態の側面図（一部断面を示す）である。
【図５】通常キーにより面付錠を開錠した場合の開錠状態の内部構造を示す断面図である。
【図６】面付錠のカバーをつけた場合の正面図である。
【図７】シリンダ錠、リンクバー、ロッキングレバーの構造の拡大図である。
【図８】ロッキングレバーの三角孔の拡大図である。
【図９】面付錠の裏面図（取付け部のみを記載、内部構造は省略）である。
【図１０】面付錠の取付け用台紙図である。
【図１１】ブロック図である。
【図１２】デジタルキーの正面図である。
【図１３】デジタルキーの側面図である。
【符号の説明】
【００３５】
１      面付錠
２      固定係合部材
３      係合装置
５      シリンダ錠
７      モータ
１４    ロッキングレバー
２０    リンクバー
２１    フック
２２    ストライク
６１    電池
６４    ＩＤデータを記憶するメモリ
６５    ＩＣデータ読取り手段
６７    コントローラ
７０    デジタルキー
７２    接触式ＩＣタグ
１００  第１扉
１０１  第２扉
【図１】
0005296363.tif 000002
【図２】
0005296363.tif 000003
【図３】
0005296363.tif 000004
【図４】
0005296363.tif 000005
【図５】
0005296363.tif 000006
【図６】
0005296363.tif 000007
【図７】
0005296363.tif 000008
【図８】
0005296363.tif 000009
【図９】
0005296363.tif 000010
【図１０】
0005296363.tif 000011
【図１１】
0005296363.tif 000012
【図１２】
0005296363.tif 000013
【図１３】
0005296363.tif 000014